(57)【要約】  タイマ制御部（３）は、受信処理部（１）及び送信処理部（２）から参照可能なタイマの値を更新する。受信処理部（１）は、受信信号に含まれるタイミング情報を検出し、検出したタイミング情報とタイマ制御部（３）から得られるタイミング情報とのずれ量を求める。受信処理部（１）は、求めたずれ量に基づいて受信信号に対するタイミングを決定する。また、受信処理部（１）は、求めたずれ量をメモリ（４）に格納する。送信処理部（２）はメモリ（４）からずれ量を読み出し、読み出したずれ量に基づいて送信信号に対するタイミングを決定する。
2012056542.tif 000002
【特許請求の範囲】
【請求項１】
受信信号を処理する受信処理部と、
送信信号を処理する送信処理部と、
前記受信処理部及び前記送信処理部から参照可能なタイマの値を更新するタイマ制御部と、
前記受信処理部から出力されるタイミングのずれ量を記憶するメモリと、
を備え、
前記受信処理部は、受信信号に含まれるタイミング情報と前記タイマ制御部から得られるタイミング情報とのずれ量を求め、該ずれ量に基づいて受信信号に対するタイミングを決定するとともに、該ずれ量を前記メモリに格納し、
前記送信処理部は前記メモリから前記ずれ量を読み出し、該ずれ量に基づいて送信信号に対するタイミングを決定することを特徴とする無線通信装置。
【請求項２】
前記受信処理部の復調処理を行うハードウェアブロックと前記送信処理部の変調処理を行うハードウェアブロックとが異なることを特徴とする請求項１に記載の無線通信装置。
【請求項３】
前記受信処理部は、前記タイマの値から求まる単位時間の境界から該境界よりも後で該境界に最も近い前記受信信号の単位時間の境界までの経過時間、及び前記タイマの値から求まる単位時間に順番に付された番号と前記受信信号の単位時間に順番に付された番号との差に基づいて、前記ずれ量を求めることを特徴とする請求項２に記載の無線通信装置。
【請求項４】
前記受信処理部は、前記タイマの値から求まる単位時間の境界から該境界よりも後で該境界に最も近い前記受信信号の単位時間の境界までの経過時間を前記メモリに格納するとともに、前記送信処理部により更新された後のずれ量を前記メモリから読み出し、該更新後のずれ量に基づいて受信信号に対するタイミングを更新し、
前記送信処理部は前記メモリから前記経過時間を読み出し、該経過時間に基づいて前記ずれ量を更新し、該更新後のずれ量に基づいて送信信号に対するタイミングを更新するとともに、該更新後のずれ量を前記メモリに格納することを特徴とする請求項２に記載の無線通信装置。
【請求項５】
前記受信処理部及び前記送信処理部への電源の供給及び電源の供給の停止を制御するコントローラを備え、
前記コントローラは、着呼の待機状態のとき、または通信圏外にいるときに、前記送信処理部への電源の供給を停止することを特徴とする請求項２に記載の無線通信装置。
【請求項６】
受信信号を処理する受信処理部により、受信信号に含まれるタイミング情報を検出し、該タイミング情報と、前記受信処理部及び送信信号を処理する送信処理部から参照可能なタイマの値を更新するタイマ制御部から得られるタイミング情報とのずれ量を求め、該ずれ量に基づいて受信信号に対するタイミングを決定するとともに、該ずれ量を前記送信処理部へ転送し、
前記送信処理部により、前記受信処理部から転送されてきた前記ずれ量に基づいて送信信号に対するタイミングを決定することを特徴とする無線通信方法。
【請求項７】
前記受信処理部により、前記タイマの値から求まる単位時間の境界から該境界よりも後で該境界に最も近い前記受信信号の単位時間の境界までの経過時間を前記送信処理部へ転送し、
前記送信処理部により、前記受信処理部から転送されてきた前記経過時間に基づいて前記ずれ量を更新し、該更新後のずれ量に基づいて送信信号に対するタイミングを更新するとともに、該更新後のずれ量を前記受信処理部へ転送し、
前記受信処理部により、前記送信処理部から転送されてきた前記更新後のずれ量に基づいて受信信号に対するタイミングを更新することを特徴とする請求項６に記載の無線通信方法。
【発明の詳細な説明】
【技術分野】
【０００１】
この発明は、無線通信装置及び無線通信方法に関する。
【背景技術】
【０００２】
従来、移動体無線通信システムにおいて、通信速度が高速化している。それに伴って、変復調処理に必要な演算量が増加している。そこで、受信側の復調処理と送信側の変調処理とを、別々のハードウェアブロック及びＤＳＰ（Ｄｉｇｉｔａｌ  Ｓｉｇｎａｌ  Ｐｒｏｃｅｓｓｏｒ、デジタルシグナルプロセッサ）などのプロセッサで行うことにより、限られた時間内で変復調処理が終わるようにしてもよい。【０００３】
ところで、基地局が端末に対して、基準となる時刻を送信し、端末では受信した時刻に基づいて時間管理を行う無線通信システムにおいて、変調された送信信号を復調し、その復調する際の遅延時間を検出し、検出した遅延時間を用いて送信処理の開始時刻を調整するものがある。送信と受信とを異なるタイミングで間欠的に行う送受信装置において、消費電力を削減するために、データ送信期間だけ送信回路を作動させるとともに、データ受信期間だけ受信回路を作動させるように、電源の制御を行うものがある。
【先行技術文献】
【特許文献】
【０００４】
【特許文献１】特開平７−１３１４０８号公報
【特許文献２】特開平７−２１２２６９号公報
【発明の概要】
【発明が解決しようとする課題】
【０００５】
しかしながら、受信側の復調処理と送信側の変調処理とを、別々のハードウェアブロック及びプロセッサで行う場合、次のような問題点がある。例えば、復調処理の対象となる下り信号と変調処理の対象となる上り信号との間に所定のタイミング差が規定されていることがある。そのようなシステムの一例として、例えばＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）移動体無線通信において３．５世代と呼ばれるＨＳＰＡ（Ｈｉｇｈ  Ｓｐｅｅｄ  Ｐａｃｋｅｔ  Ａｃｃｅｓｓ、ハイスピードパケットアクセス）＋システムがある。【０００６】
３ＧＰＰ（３ｒｄ  Ｇｅｎｅｒａｔｉｏｎ  Ｐａｒｔｎｅｒｓｈｉｐ  Ｐｒｏｊｅｃｔ）では、個別チャネル通信を行うステートにおいてＤＬ  ＤＰＣＨ（Ｄｏｗｎｌｉｎｋ  Ｄｅｄｉｃａｔｅｄ  Ｐｈｙｓｉｃａｌ  Ｃｈａｎｎｅｌ、下り個別物理チャネル）とＵＬ  ＤＰＣＨ（Ｕｐｌｉｎｋ  Ｄｅｄｉｃａｔｅｄ  Ｐｈｙｓｉｃａｌ  Ｃｈａｎｎｅｌ、上り個別物理チャネル）とのタイミング差が１０２４チップに規定されている（３ＧＰＰ  ＴＳ  ２５．２１１  Ｖ８．６．０（２００９−１２）を参照）。従って、ハードウェア及びＤＳＰに配置されるハードウェア制御用のファームウェアについて、制御動作のタイミング認識を一致させる必要がある。【０００７】
セルサーチ処理やパスサーチ処理を実行することによって、端末は無線信号のタイミングを認識することができる。しかし、セルサーチ処理やパスサーチ処理は端末の復調処理を行うブロックに搭載されているが、変調処理を行うブロックには搭載されていない。従って、変調処理を行うブロックと復調処理を行うブロックとを物理的に異なるハードウェアで構成した場合には、復調処理を行うブロックで検出した無線信号のタイミング（例えばスロット番号）を変調処理を行うブロックに通知することになる。その通知を行う過程で、ブロック間の信号伝達で遅延が生じるので、無線信号のタイミングの伝達に遅延が発生する。変調処理を行うブロックと復調処理を行うブロックとで、その遅延の分だけスロットの境界の認識にずれが発生するため、タイミングの同期を取ることが困難となる。【０００８】
変調処理を行うブロックと復調処理を行うブロックとでタイミングの同期を取ることができる無線通信装置及び無線通信方法を提供することを目的とする。
【課題を解決するための手段】
【０００９】
無線通信装置は、受信処理部、送信処理部、タイマ制御部及びメモリを備えている。受信処理部は受信信号を処理する。受信処理部は、受信信号に含まれるタイミング情報とタイマ制御部から得られるタイミング情報とのずれ量を求め、このずれ量に基づいて受信信号に対するタイミングを決定する。受信処理部は、このずれ量をメモリに格納する。送信処理部は送信信号を処理する。送信処理部は、メモリからずれ量を読み出し、このずれ量に基づいて送信信号に対するタイミングを決定する。タイマ制御部は、受信処理部及び送信処理部から参照可能なタイマの値を更新する。メモリは、受信処理部から出力されるタイミングのずれ量を記憶する。【００１０】
無線通信方法は次のプロセスを含む。受信処理部が、受信信号に含まれるタイミング情報を検出する。受信処理部が、検出したタイミング情報とタイマ制御部から得られるタイミング情報とのずれ量を求める。受信処理部が、求めたずれ量に基づいて受信信号に対するタイミングを決定する。受信処理部が、求めたずれ量を送信処理部へ転送する。送信処理部が、受信処理部から転送されてきたずれ量に基づいて送信信号に対するタイミングを決定する。
【発明の効果】
【００１１】
無線通信装置及び無線通信方法によれば、変調処理を行うブロックと復調処理を行うブロックとでタイミングの同期を取ることができる。
【図面の簡単な説明】
【００１２】
【図１】実施例１にかかる無線通信装置を示すブロック図である。
【図２】実施例１にかかる無線通信方法を示すフローチャートである。
【図３】実施例２にかかる無線通信装置を示すブロック図である。
【図４】実施例２にかかる無線通信装置におけるフリーランカウンタを示す図である。
【図５】基準タイミングのパラメータについて説明する図である。
【図６】ＤＬ  ＤＰＣＨ及びＵＬ  ＤＰＣＨについて説明する図である。
【図７】実施例２にかかる無線通信方法の初期設定処理を示すフローチャートである。
【図８】実施例２にかかる無線通信方法の補正処理を示すフローチャートである。
【図９】実施例２にかかる無線通信方法の補正処理を示すフローチャートである。
【図１０】実施例３にかかる無線通信装置を示すブロック図である。
【発明を実施するための形態】
【００１３】
以下に、この発明にかかる無線通信装置及び無線通信方法の実施例を図面に基づいて詳細に説明する。無線通信装置及び無線通信方法は、受信信号に含まれるタイミング情報とタイマから得られるタイミング情報とのずれ量を求め、このずれ量とタイマから得られるタイミング情報とに基づいて受信信号及び送信信号に対するタイミングを決定するものである。なお、この実施例によりこの発明が限定されるものではない。
【００１４】
（実施例１）
・無線通信装置の説明
図１は、実施例１にかかる無線通信装置を示すブロック図である。図１に示すように、無線通信装置は、受信処理部１、送信処理部２、タイマ制御部３及びメモリ４を備えている。受信処理部１は受信信号を処理する。受信処理部１は、受信信号に含まれるタイミング情報とタイマ制御部３から得られるタイミング情報とのずれ量を求め、このずれ量に基づいて受信信号に対するタイミングを決定する。受信処理部１は、このずれ量をメモリ４に格納する。送信処理部２は送信信号を処理する。送信処理部２は、メモリ４からずれ量を読み出し、このずれ量に基づいて送信信号に対するタイミングを決定する。タイマ制御部３は、受信処理部１及び送信処理部２から参照可能なタイマの値を更新する。メモリ４は、受信処理部１から出力されるタイミングのずれ量を記憶する。
【００１５】
・無線通信方法の説明
図２は、実施例１にかかる無線通信方法を示すフローチャートである。図１に示すように、無線通信処理が開始されると、まず、受信処理部１は、受信信号に含まれるタイミング情報を検出する（ステップＳ１）。次いで、受信処理部１は、検出したタイミング情報とタイマ制御部３から得られるタイミング情報とのずれ量を求める（ステップＳ２）。そして、受信処理部１は、ステップＳ２で求めたずれ量に基づいて受信信号に対するタイミングを決定する（ステップＳ３）。また、受信処理部１は、求めたずれ量を送信処理部２へ転送する（ステップＳ４）。送信処理部２は、受信処理部１から転送されてきたずれ量に基づいて送信信号に対するタイミングを決定する（ステップＳ５）。そして、無線通信装置は、一連の処理を終了する。なお、ステップＳ３の前にステップＳ４を行ってもよいし、ステップＳ３の前にステップＳ４及びステップＳ５を行ってもよい。
【００１６】
実施例１によれば、受信処理部１及び送信処理部２が、受信信号に含まれるタイミング情報とタイマ制御部３から得られるタイミング情報とのずれ量に基づいてそれぞれのタイミングを決定するので、受信処理部１と送信処理部２とでタイミングの同期を取ることができる。従って、受信処理部１に含まれる、受信信号の復調処理を行うブロックと、送信処理部２に含まれる、送信信号の変調処理を行うブロックとでタイミングの同期を取ることができる。
【００１７】
（実施例２）
実施例２は、携帯電話などの移動体無線通信システムに適用したものである。携帯電話システムの一例として、例えば第２世代や第３世代の携帯電話システム、ＨＳＰＡ＋システム、３．９世代と呼ばれるＬＴＥ（Ｌｏｎｇ  Ｔｅｒｍ  Ｅｖｏｌｕｔｉｏｎ、エルテーイー、ロングタームエボリューション）システムまたは第４世代以降の携帯電話システムが挙げられる。
【００１８】
・無線通信装置の説明
図３は、実施例２にかかる無線通信装置を示すブロック図である。図３に示すように、実施例２にかかる無線通信装置は、受信処理部として例えばＡＧＣ（Ａｕｔｏｍａｔｉｃ  Ｇａｉｎ  Ｃｏｎｔｒｏｌ、自動利得制御）／復調制御部１１及び復号制御部１６、送信処理部として例えば変調／電力制御部１２、タイマ制御部として例えばグローバルタイマ制御部１３、並びにメモリ１４を備えている。例えば、ＡＧＣ／復調制御部１１は、ハードウェア及びＤＳＰに配置されるハードウェア制御用のファームウェアにより実現されてもよい。変調／電力制御部１２は、ＡＧＣ／復調制御部１１とは異なるハードウェア及びＤＳＰに配置されるハードウェア制御用のファームウェアにより実現されてもよい。
【００１９】
無線通信装置は、アンテナ１８で受信したＲＦ（Ｒａｄｉｏ  Ｆｒｅｑｕｅｎｃｙ、無線周波数）信号を周波数変換部１５でＩＦ（Ｉｎｔｅｒｍｅｄｉａｔｅ  Ｆｒｅｑｕｅｎｃｙ、中間周波数）信号に変換する。ＡＧＣ／復調制御部１１は、周波数変換部１５から出力されたＩＦ信号をベースバンド信号に復調し、ベースバンド信号（復調信号）の出力レベルを一定に制御する。復号制御部１６は、ＡＧＣ／復調制御部１１から出力された復調信号を復号する。
【００２０】
変調／電力制御部１２は、符号化制御部１７で符号化されたベースバンド信号（符号化データ）をＩＦ信号に変調し、送信電力を制御する。無線通信装置は、変調／電力制御部１２から出力された送信対象のＩＦ信号を周波数変換部１５でＲＦ信号に変換してアンテナ１８から送信する。
【００２１】
グローバルタイマ制御部１３は、例えば後述するフリーランカウンタを備えている。このフリーランカウンタは、ＡＧＣ／復調制御部１１、変調／電力制御部１２及び復号制御部１６から参照可能となっている。メモリ１４は、基準タイミングのパラメータを記憶する。メモリ１４は、ＡＧＣ／復調制御部１１及び変調／電力制御部１２からアクセス可能となっている。基準タイミングのパラメータの一例として、例えば、フリーランカウンタのカウントによって得られるタイミング情報と、図示しない基地局から報知された例えばＣＰＩＣＨ（Ｃｏｍｍｏｎ  Ｐｉｌｏｔ  Ｃｈａｎｎｅｌ、共通パイロットチャネル）から得られるタイミング情報とのずれ量が挙げられる。
【００２２】
このずれ量の一例として、例えばＳＦＴ（Ｓｙｓｔｅｍ  Ｆｒａｍｅ  Ｔｉｍｉｎｇ、システムフレームタイミング）が挙げられる。ＳＦＴは、例えばフリーランカウンタの現在の値とＣＰＩＣＨの先頭フレームの先頭とのタイミング差を表す。ＳＦＴの求め方については後述する。また、ＳＦＴが求まると、ＤＬ  ＤＰＣＨ及びＵＬ  ＤＰＣＨを求めることができる。ＤＬ  ＤＰＣＨ及びＵＬ  ＤＰＣＨの求め方については後述する。
【００２３】
・フリーランカウンタの説明
図４は、実施例２にかかる無線通信装置におけるフリーランカウンタを示す図である。図４に示すように、フリーランカウンタは、例えばＭＦＮ（Ｍｏｄｅｍ  Ｆｒａｍｅ  Ｎｕｍｂｅｒ、モデムフレーム番号）２１、ＦＴＶ（Ｆｒａｍｅ  Ｔｉｍｉｎｇ  Ｖａｌｕｅ、フレームタイミング値）２２及びＳＴＶ（Ｓｌｏｔ  Ｔｉｍｉｎｇ  Ｖａｌｕｅ、スロットタイミング値）２３の三つのパラメータを備えている。
【００２４】
フリーランカウンタは、１サンプル時間ごとにカウントアップし、１０２４０サンプル（スロットタイミング値：０〜１０２３９）で１スロットとなり、１５スロット（フレームタイミング値：０〜１４）で１フレームとなり、４０９６フレーム（モデムフレーム番号：０〜４０９５）で１周期となる。このように、実施例２ではフリーランカウンタのフレームの構成をＣＰＩＣＨのフレーム構成と同じにしているが、異なっていてもよい。
【００２５】
・基準タイミングのパラメータＳＦＴの求め方
図５は、基準タイミングのパラメータについて説明する図である。図５において、ＳＦＮ（Ｓｙｓｔｅｍ  Ｆｒａｍｅ  Ｎｕｍｂｅｒ、システムフレーム番号）２６はＣＰＩＣＨのフレームの番号を表す。ＡＧＣ／復調制御部１１はパスサーチを行う機能を有しており、パスサーチを行うことによってパスサーチを行った時点でのＣＰＩＣＨのフレームとその一つ前のフレームとの境界、すなわちＣＰＩＣＨの現在のフレームの先頭のタイミングを検出することができる。
【００２６】
また、ＡＧＣ／復調制御部１１はパスサーチを行った時点でのフリーランカウンタのフレームとその一つ前のフレームとの境界、すなわちフリーランカウンタの現在のフレームの先頭のタイミングを検出することができる。従って、ＡＧＣ／復調制御部１１は、ＣＰＩＣＨの現在のフレームの先頭とフリーランカウンタの現在のフレームの先頭とのタイミング差ＭＦＴ（Ｍｏｄｅｍ  Ｆｒａｍｅ  Ｔｉｍｉｎｇ、モデムフレームタイミング（パスタイミングとも呼ばれる））を検出する。
【００２７】
図５に示す例では、ＣＰＩＣＨの現在のフレームは番号ｍのフレーム２７であり、フリーランカウンタの現在のフレームは番号ｎのフレーム２８である。従って、ＳＦＮがｍであるフレーム２７の先頭とＭＦＮがｎであるフレーム２８の先頭とのタイミング差がＭＦＴである。ＭＦＴは１フレーム未満のタイミング差となる。
【００２８】
復号制御部１６は、同期用のチャネルを復号することによって、ＣＰＩＣＨの現在のフレームの番号と同じ番号のフリーランカウンタのフレームの先頭と、フリーランカウンタの現在のフレームの先頭とのタイミング差を検出することができる。このタイミング差をフレームオフセットとする。
【００２９】
図５に示す例では、ＣＰＩＣＨの現在のフレームの番号ｍと同じ番号のフリーランカウンタのフレームは番号ｍのフレーム２９である。フリーランカウンタの現在のフレームは番号ｎのフレーム２８である。従って、フレームオフセットは番号ｍのフレーム２９の先頭と番号ｎのフレーム２８の先頭とのタイミング差となる。タイミングｔにおけるフリーランカウンタのフレーム番号をＭＦＮ（ｔ）と表し、タイミングｔにおけるＣＰＩＣＨのフレーム番号をＳＦＮ（ｔ）と表すと、フレームオフセットは次の（１）式で表される。
【００３０】
フレームオフセット［サンプル］
＝（ＭＦＮ（ｔ）−ＳＦＮ（ｔ））［フレーム］×１５［スロット／フレーム］×１０２４０［サンプル／スロット］  ・・・（１）
【００３１】
ＡＧＣ／復調制御部１１は、フレームオフセットがわかると、基準タイミングのパラメータＳＦＴを求めることができる。図５に示すように、基準タイミングのパラメータＳＦＴは、上記（１）式で表されるフレームオフセットにＭＦＴを加算したものである。従って、基準タイミングのパラメータＳＦＴは次の（２）式で表される。
【００３２】
ＳＦＴ［サンプル］
＝（ＭＦＮ（ｔ）−ＳＦＮ（ｔ））［フレーム］×１５［スロット／フレーム］×１０２４０［サンプル／スロット］＋ＭＦＴ［サンプル］  ・・・（２）
【００３３】
・ＤＬ  ＤＰＣＨ及びＵＬ  ＤＰＣＨの求め方
図６は、ＤＬ  ＤＰＣＨ及びＵＬ  ＤＰＣＨについて説明する図である。図６において、ＤＯＦＦ（Ｄｐｃｈ  Ｏｆｆｓｅｔ、デーピーシーエッチオフセット）は、ＣＰＩＣＨの先頭フレームの先頭とＤＬ  ＤＰＣＨの先頭フレームの先頭とのオフセット値である。ＤＯＦＦは、ネットワークなどの上位レイヤから端末などの無線通信装置に通知される。従って、図６に示すように、ＡＧＣ／復調制御部１１及び変調／電力制御部１２は、上述したＳＦＴにＤＯＦＦを加算することによって、ＤＬ  ＤＰＣＨのタイミング３１を求めることができる。ＤＬ  ＤＰＣＨのタイミングは次の（３）式で表される。
【００３４】
ＤＬ  ＤＰＣＨタイミング＝ＳＦＴ＋ＤＯＦＦ［サンプル］  ・・・（３）
【００３５】
また、上述したようにＤＬ  ＤＰＣＨとＵＬ  ＤＰＣＨとのタイミング差が１０２４チップであるから、変調／電力制御部１２は、上述したＤＬ  ＤＰＣＨタイミングに１０２４チップを加算することによって、ＵＬ  ＤＰＣＨのタイミング３２を求めることができる。ＵＬ  ＤＰＣＨのタイミングは次の（４）式で表される。
【００３６】
ＵＬ  ＤＰＣＨタイミング＝ＤＬ  ＤＰＣＨタイミング＋１０２４［チップ］  ・・・（４）
【００３７】
・無線通信方法の説明
例えば、個別チャネルによる通信を開始するときの初期設定時に上述したＤＬ  ＤＰＣＨ及びＵＬ  ＤＰＣＨの調整が行われる。また、個別チャネルによる通信中にネットワークや環境要因によってパスタイミングにずれが生じたときに、そのずれの補正時に上述したＤＬ  ＤＰＣＨ及びＵＬ  ＤＰＣＨの調整が行われる。
【００３８】
・個別チャネル通信開始時の初期設定処理
図７は、実施例２にかかる無線通信方法の初期設定処理を示すフローチャートである。図７に示すように、個別チャネル通信開始時の初期設定処理が開始されると、まず、ＡＧＣ／復調制御部１１はセルサーチやパスサーチを行って、通信対象セル、すなわち基準セルから送信される信号のＭＦＴを検出する（ステップＳ１１）。次いで、ＡＧＣ／復調制御部１１は、報知情報を伝送するＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ、プライマリー共通制御物理チャネル）を復調し、その復調結果を復号制御部１６へ転送する（ステップＳ１２）。
【００３９】
次いで、ＡＧＣ／復調制御部１１はＭＦＴを復号制御部１６へ転送する（ステップＳ１３）。次いで、復号制御部１６は、上記（１）式で表されるフレームオフセットを検出し、フレームオフセットの値をＡＧＣ／復調制御部１１に通知する（ステップＳ１４）。次いで、ＡＧＣ／復調制御部１１は、上記（２）式で表される基準タイミングのパラメータＳＦＴを算出する（ステップＳ１５）。
【００４０】
次いで、ＡＧＣ／復調制御部１１は基準タイミングのパラメータＳＦＴを変調／電力制御部１２へ転送する（ステップＳ１６）。具体的には、ＡＧＣ／復調制御部１１が基準タイミングのパラメータＳＦＴをメモリ１４に格納し、変調／電力制御部１２がメモリ１４から基準タイミングのパラメータＳＦＴを読み出すことによって、基準タイミングのパラメータＳＦＴがＡＧＣ／復調制御部１１から変調／電力制御部１２へ転送されてもよい。
【００４１】
次いで、ＡＧＣ／復調制御部１１及び変調／電力制御部１２は、上記（３）式で表されるＤＬ  ＤＰＣＨのタイミングを算出する（ステップＳ１７）。次いで、変調／電力制御部１２は、上記（４）式で表されるＵＬ  ＤＰＣＨのタイミングを算出する（ステップＳ１８）。そして、一連の処理が終了する。
【００４２】
・個別チャネル通信中の補正処理
図８及び図９は、実施例２にかかる無線通信方法の補正処理を示すフローチャートである。図８に示すように、個別チャネルの通信中、ＡＧＣ／復調制御部１１は定期的にパスサーチを行って、基準セルから送信される信号のＭＦＴを検出する（ステップＳ２１）。次いで、ＡＧＣ／復調制御部１１は変調／電力制御部１２へＭＦＴを転送する（ステップＳ２２）。ＭＦＴについても、上述したＳＦＴの転送と同様にメモリ１４を介して転送してもよい。
【００４３】
変調／電力制御部１２は、ＭＦＴの通知が初回の通知であるか否かを判断する（ステップＳ２３）。初回の通知である場合（ステップＳ２３：Ｙｅｓ）、変調／電力制御部１２は、復号制御部１６でフレームオフセットを検出する際に適用するＭＦＴの値を、ステップＳ２２でＡＧＣ／復調制御部１１から転送されてきたＭＦＴの値に更新する（ステップＳ２４）。また、変調／電力制御部１２は、最新のＭＦＴの値として保持している値を、ステップＳ２２でＡＧＣ／復調制御部１１から転送されてきたＭＦＴの値に更新する（ステップＳ２５）。一方、ＭＦＴの通知が初回の通知でない場合（ステップＳ２３：Ｎｏ）、変調／電力制御部１２は、フレームオフセットの検出に適用するＭＦＴの値を更新しないで、最新のＭＦＴの値を更新する（ステップＳ２５）。
【００４４】
次いで、図９に示すように、変調／電力制御部１２は、ＳＦＴ、ＤＬ  ＤＰＣＨ及びＵＬ  ＤＰＣＨの更新を行うか否かの判定を実施するか否かを判定する（ステップＳ２６）。ステップＳ２６は、例えば移動体無線通信システムが無線通信装置の送信信号のタイミングを所定時間に１回変えてもよいシステムである場合に実施される。このような移動体無線通信システムの一例として、例えば３ＧＰＰ仕様の携帯電話システムが挙げられる。３ＧＰＰ仕様の携帯電話システムでは、例えば移動局の送信信号のタイミングを２００ｍｓに１度、１サンプルまで変更してもよい。変調／電力制御部１２にＭＦＴが通知されるたびにＳＦＴ、ＤＬ  ＤＰＣＨ及びＵＬ  ＤＰＣＨの更新を行う場合には、ステップＳ２６を省略してもよい。
【００４５】
更新の判定を実施する場合（ステップＳ２６：Ｙｅｓ）、変調／電力制御部１２は、フレームオフセットの検出に適用されている現在のＭＦＴの値が、ステップＳ２５で更新された最新のＭＦＴの値に等しくないか否かを判断する（ステップＳ２７）。フレームオフセットの検出に適用されている現在のＭＦＴの値と、最新のＭＦＴの値との差分が一定の範囲内にある場合を両者が等しいとし、その差分が一定の範囲を超える場合に両者は等しくないとしてもよい。
【００４６】
フレームオフセットの検出に適用されている現在のＭＦＴの値と、最新のＭＦＴの値とが等しくない場合（ステップＳ２７：Ｙｅｓ）、変調／電力制御部１２は、フレームオフセットの検出に適用されている現在のＭＦＴの値を最新のＭＦＴの値に更新して保持する。そして、変調／電力制御部１２は現在の基準タイミングのパラメータＳＦＴの値を、更新後のＭＦＴに応じた値に更新する（ステップＳ２８）。３ＧＰＰ仕様の携帯電話システムの場合には、上述したように移動局の送信信号のタイミングを１サンプルまで変更できるので、変調／電力制御部１２は、ＭＦＴ及びＳＦＴを１サンプル分補正した値に更新する。
【００４７】
次いで、変調／電力制御部１２は更新後の基準タイミングのパラメータＳＦＴをＡＧＣ／復調制御部１１へ転送する（ステップＳ２９）。具体的には、上述したＡＧＣ／復調制御部１１から変調／電力制御部１２へのＳＦＴの転送と同様にメモリ１４を介して転送してもよい。
【００４８】
次いで、ＡＧＣ／復調制御部１１及び変調／電力制御部１２は、上記（３）式で表されるＤＬ  ＤＰＣＨのタイミングを算出する（ステップＳ３０）。次いで、変調／電力制御部１２は、上記（４）式で表されるＵＬ  ＤＰＣＨのタイミングを算出する（ステップＳ３１）。そして、一連の処理が終了する。また、更新の判定を実施しない場合（ステップＳ２６：Ｎｏ）、一連の処理が終了する。フレームオフセットの検出に適用されている現在のＭＦＴの値と、最新のＭＦＴの値とが等しい場合（ステップＳ２７：Ｎｏ）、一連の処理が終了する。このようにして、ＤＬ  ＤＰＣＨ及びＵＬ  ＤＰＣＨのずれが補正される。
【００４９】
実施例２によれば、ＡＧＣ／復調制御部１１及び変調／電力制御部１２が、フリーランカウンタの値とＣＰＩＣＨとのタイミング差に基づいてＤＬ  ＤＰＣＨ及びＵＬ  ＤＰＣＨを決定または補正するので、ＡＧＣ／復調制御部１１と変調／電力制御部１２とでタイミングの同期を取ることができる。
【００５０】
（実施例３）
実施例３は、実施例２においてある期間中、例えば着呼の待ち受け状態の期間中に電源制御を行うようにしたものである。実施例２と同様の構成については実施例２と同一の符号を付して、重複する説明を省略する。
【００５１】
図１０は、実施例３にかかる無線通信装置を示すブロック図である。図１０に示すように、実施例３にかかる無線通信装置は、実施例にかかる無線通信装置において電源制御を行うコントローラ１９を備えている。コントローラ１９は、変調／電力制御部１２及び符号化制御部１７を含む送信側のブロック４１の電源と、ＡＧＣ／復調制御部１１及び復号制御部１６を含む受信側のブロック４２の電源と、を別々に制御する。受信側のブロック４２には、例えばグローバルタイマ制御部１３、メモリ１４及び周波数変換部１５が含まれていてもよい。
【００５２】
ＡＧＣ／復調制御部１１は、報知情報を受信できるときに自装置がいずれかの基地局のセル内に在圏しており、通信状態にあることを認識する。ＡＧＣ／復調制御部１１は、報知情報を受信できないときに自装置がいずれの基地局のセル内にも在圏していないこと、すなわち圏外にいることを認識する。ＡＧＣ／復調制御部１１は、自装置が通信状態にあるか、圏外にいるか、という情報をメモリ１４に格納する。
【００５３】
コントローラ１９は、自装置が通信状態にある、または圏外にいる、という情報をメモリ１４から読み出して、電源制御を行う。例えば無線通信装置が圏外にいるとき、無線通信装置は送信することができないので、コントローラ１９は送信側のブロック４１の電源をオフ状態にする。また、無線通信装置が待ち受け状態にあるとき、コントローラ１９は、上位レイヤからのメッセージによって自装置が待ち受け状態にあることを認識する。例えば無線通信装置が待ち受け状態にあるとき、無線通信装置は送信処理を行う必要がないので、コントローラ１９は送信側のブロック４１の電源をオフ状態にする。
【００５４】
無線通信装置が圏外にいる場合でも、無線通信装置が移動していずれかの基地局のセル内に入ったときに報知情報を受信する必要があるので、受信側のブロック４２の電源はオン状態であってもよい。また、無線通信装置が待ち受け状態にある場合には、着呼の際の基地局からの呼び出しに応ずる必要があるので、受信側のブロック４２の電源はオン状態であってもよい。送信側のブロック４１の電源がオフ状態のときには、ＡＧＣ／復調制御部１１と変調／電力制御部１２とのタイミングを同期させる必要がないので、グローバルタイマ制御部１３をオフ状態にしてもよい。あるいは、送信側のブロック４１の電源がオフ状態のときでもグローバルタイマ制御部１３を起動させておいてもよい。その場合には、ＡＧＣ／復調制御部１１が無線信号のタイミングを認識することができる。
【００５５】
実施例３によれば、無線通信装置が圏外にいるときや待ち受け状態にあるときに、送信側のブロック４１の電源をオフ状態にするので、消費電力を削減することができる。特に、無線通信装置の稼働中、無線通信装置が待ち受け状態にある時間は、通常、稼働時間の大半を占めるので、消費電力を削減することができる。
【符号の説明】
【００５６】
１  受信処理部
２  送信処理部
３  タイマ制御部
４  メモリ
１９  コントローラ
【図１】
2012056542.tif 000003
【図２】
2012056542.tif 000004
【図３】
2012056542.tif 000005
【図４】
2012056542.tif 000006
【図５】
2012056542.tif 000007
【図６】
2012056542.tif 000008
【図７】
2012056542.tif 000009
【図８】
2012056542.tif 000010
【図９】
2012056542.tif 000011
【図１０】
2012056542.tif 000012
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
受信信号を処理する受信処理部と、
送信信号を処理する送信処理部と、
前記受信処理部及び前記送信処理部から参照可能なタイマの値を更新するタイマ制御部と、
前記受信処理部から出力されるタイミングのずれ量を記憶するメモリと、
を備え、
前記受信処理部は、受信信号に含まれるタイミング情報と前記タイマ制御部から得られるタイミング情報とのずれ量を求め、該ずれ量に基づいて受信信号に対するタイミングを決定するとともに、該ずれ量を前記メモリに格納し、
前記送信処理部は前記メモリから前記ずれ量を読み出し、該ずれ量に基づいて送信信号に対するタイミングを決定することを特徴とする無線通信装置。
【請求項２】
前記受信処理部の復調処理を行うハードウェアブロックと前記送信処理部の変調処理を行うハードウェアブロックとが異なることを特徴とする請求項１に記載の無線通信装置。
【請求項３】
前記受信処理部は、前記タイマの値から求まる単位時間の境界から該境界よりも後で該境界に最も近い前記受信信号の単位時間の境界までの経過時間、及び前記タイマの値から求まる単位時間に順番に付された番号と前記受信信号の単位時間に順番に付された番号との差に基づいて、前記ずれ量を求めることを特徴とする請求項２に記載の無線通信装置。
【請求項４】
前記受信処理部は、前記タイマの値から求まる単位時間の境界から該境界よりも後で該境界に最も近い前記受信信号の単位時間の境界までの経過時間を前記メモリに格納するとともに、前記送信処理部により更新された後のずれ量を前記メモリから読み出し、該更新後のずれ量に基づいて受信信号に対するタイミングを更新し、
前記送信処理部は前記メモリから前記経過時間を読み出し、該経過時間に基づいて前記ずれ量を更新し、該更新後のずれ量に基づいて送信信号に対するタイミングを更新するとともに、該更新後のずれ量を前記メモリに格納することを特徴とする請求項２に記載の無線通信装置。
【請求項５】
受信信号を処理する受信処理部により、受信信号に含まれるタイミング情報を検出し、該タイミング情報と、前記受信処理部及び送信信号を処理する送信処理部から参照可能なタイマの値を更新するタイマ制御部から得られるタイミング情報とのずれ量を求め、該ずれ量に基づいて受信信号に対するタイミングを決定するとともに、該ずれ量を前記送信処理部へ転送し、
前記送信処理部により、前記受信処理部から転送されてきた前記ずれ量に基づいて送信信号に対するタイミングを決定することを特徴とする無線通信方法。
【手続補正２】
【補正対象書類名】明細書
【補正対象項目名】全文
【補正方法】変更
【補正の内容】
【発明の詳細な説明】
【技術分野】
【０００１】
この発明は、無線通信装置及び無線通信方法に関する。
【背景技術】
【０００２】
従来、移動体無線通信システムにおいて、通信速度が高速化している。それに伴って、変復調処理に必要な演算量が増加している。そこで、受信側の復調処理と送信側の変調処理とを、別々のハードウェアブロック及びＤＳＰ（Ｄｉｇｉｔａｌ  Ｓｉｇｎａｌ  Ｐｒｏｃｅｓｓｏｒ、デジタルシグナルプロセッサ）などのプロセッサで行うことにより、限られた時間内で変復調処理が終わるようにしてもよい。
【０００３】
ところで、基地局が端末に対して、基準となる時刻を送信し、端末では受信した時刻に基づいて時間管理を行う無線通信システムにおいて、変調された送信信号を復調し、その復調する際の遅延時間を検出し、検出した遅延時間を用いて送信処理の開始時刻を調整するものがある。送信と受信とを異なるタイミングで間欠的に行う送受信装置において、消費電力を削減するために、データ送信期間だけ送信回路を作動させるとともに、データ受信期間だけ受信回路を作動させるように、電源の制御を行うものがある。
【先行技術文献】
【特許文献】
【０００４】
【特許文献１】特開平７−１３１４０８号公報
【特許文献２】特開平７−２１２２６９号公報
【発明の概要】
【発明が解決しようとする課題】
【０００５】
しかしながら、受信側の復調処理と送信側の変調処理とを、別々のハードウェアブロック及びプロセッサで行う場合、次のような問題点がある。例えば、復調処理の対象となる下り信号と変調処理の対象となる上り信号との間に所定のタイミング差が規定されていることがある。そのようなシステムの一例として、例えばＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）移動体無線通信において３．５世代と呼ばれるＨＳＰＡ（Ｈｉｇｈ  Ｓｐｅｅｄ  Ｐａｃｋｅｔ  Ａｃｃｅｓｓ、ハイスピードパケットアクセス）＋システムがある。ＷＣＤＭＡは、登録商標である。
【０００６】
３ＧＰＰ（３ｒｄ  Ｇｅｎｅｒａｔｉｏｎ  Ｐａｒｔｎｅｒｓｈｉｐ  Ｐｒｏｊｅｃｔ）では、個別チャネル通信を行うステートにおいてＤＬ  ＤＰＣＨ（Ｄｏｗｎｌｉｎｋ  Ｄｅｄｉｃａｔｅｄ  Ｐｈｙｓｉｃａｌ  Ｃｈａｎｎｅｌ、下り個別物理チャネル）とＵＬ  ＤＰＣＨ（Ｕｐｌｉｎｋ  Ｄｅｄｉｃａｔｅｄ  Ｐｈｙｓｉｃａｌ  Ｃｈａｎｎｅｌ、上り個別物理チャネル）とのタイミング差が１０２４チップに規定されている（３ＧＰＰ  ＴＳ  ２５．２１１  Ｖ８．６．０（２００９−１２）を参照）。従って、ハードウェア及びＤＳＰに配置されるハードウェア制御用のファームウェアについて、制御動作のタイミング認識を一致させる必要がある。
【０００７】
セルサーチ処理やパスサーチ処理を実行することによって、端末は無線信号のタイミングを認識することができる。しかし、セルサーチ処理やパスサーチ処理は端末の復調処理を行うブロックに搭載されているが、変調処理を行うブロックには搭載されていない。従って、変調処理を行うブロックと復調処理を行うブロックとを物理的に異なるハードウェアで構成した場合には、復調処理を行うブロックで検出した無線信号のタイミング（例えばスロット番号）を変調処理を行うブロックに通知することになる。その通知を行う過程で、ブロック間の信号伝達で遅延が生じるので、無線信号のタイミングの伝達に遅延が発生する。変調処理を行うブロックと復調処理を行うブロックとで、その遅延の分だけスロットの境界の認識にずれが発生するため、タイミングの同期を取ることが困難となる。
【０００８】
変調処理を行うブロックと復調処理を行うブロックとでタイミングの同期を取ることができる無線通信装置及び無線通信方法を提供することを目的とする。
【課題を解決するための手段】
【０００９】
無線通信装置は、受信処理部、送信処理部、タイマ制御部及びメモリを備えている。受信処理部は受信信号を処理する。受信処理部は、受信信号に含まれるタイミング情報とタイマ制御部から得られるタイミング情報とのずれ量を求め、このずれ量に基づいて受信信号に対するタイミングを決定する。受信処理部は、このずれ量をメモリに格納する。送信処理部は送信信号を処理する。送信処理部は、メモリからずれ量を読み出し、このずれ量に基づいて送信信号に対するタイミングを決定する。タイマ制御部は、受信処理部及び送信処理部から参照可能なタイマの値を更新する。メモリは、受信処理部から出力されるタイミングのずれ量を記憶する。
【００１０】
無線通信方法は次のプロセスを含む。受信処理部が、受信信号に含まれるタイミング情報を検出する。受信処理部が、検出したタイミング情報とタイマ制御部から得られるタイミング情報とのずれ量を求める。受信処理部が、求めたずれ量に基づいて受信信号に対するタイミングを決定する。受信処理部が、求めたずれ量を送信処理部へ転送する。送信処理部が、受信処理部から転送されてきたずれ量に基づいて送信信号に対するタイミングを決定する。
【発明の効果】
【００１１】
無線通信装置及び無線通信方法によれば、変調処理を行うブロックと復調処理を行うブロックとでタイミングの同期を取ることができる。
【図面の簡単な説明】
【００１２】
【図１】実施例１にかかる無線通信装置を示すブロック図である。
【図２】実施例１にかかる無線通信方法を示すフローチャートである。
【図３】実施例２にかかる無線通信装置を示すブロック図である。
【図４】実施例２にかかる無線通信装置におけるフリーランカウンタを示す図である。
【図５】基準タイミングのパラメータについて説明する図である。
【図６】ＤＬ  ＤＰＣＨ及びＵＬ  ＤＰＣＨについて説明する図である。
【図７】実施例２にかかる無線通信方法の初期設定処理を示すフローチャートである。
【図８】実施例２にかかる無線通信方法の補正処理を示すフローチャートである。
【図９】実施例２にかかる無線通信方法の補正処理を示すフローチャートである。
【図１０】実施例３にかかる無線通信装置を示すブロック図である。
【発明を実施するための形態】
【００１３】
以下に、この発明にかかる無線通信装置及び無線通信方法の実施例を図面に基づいて詳細に説明する。無線通信装置及び無線通信方法は、受信信号に含まれるタイミング情報とタイマから得られるタイミング情報とのずれ量を求め、このずれ量とタイマから得られるタイミング情報とに基づいて受信信号及び送信信号に対するタイミングを決定するものである。なお、この実施例によりこの発明が限定されるものではない。
【００１４】
（実施例１）
・無線通信装置の説明
図１は、実施例１にかかる無線通信装置を示すブロック図である。図１に示すように、無線通信装置は、受信処理部１、送信処理部２、タイマ制御部３及びメモリ４を備えている。受信処理部１は受信信号を処理する。受信処理部１は、受信信号に含まれるタイミング情報とタイマ制御部３から得られるタイミング情報とのずれ量を求め、このずれ量に基づいて受信信号に対するタイミングを決定する。受信処理部１は、このずれ量をメモリ４に格納する。送信処理部２は送信信号を処理する。送信処理部２は、メモリ４からずれ量を読み出し、このずれ量に基づいて送信信号に対するタイミングを決定する。タイマ制御部３は、受信処理部１及び送信処理部２から参照可能なタイマの値を更新する。メモリ４は、受信処理部１から出力されるタイミングのずれ量を記憶する。
【００１５】
・無線通信方法の説明
図２は、実施例１にかかる無線通信方法を示すフローチャートである。図１に示すように、無線通信処理が開始されると、まず、受信処理部１は、受信信号に含まれるタイミング情報を検出する（ステップＳ１）。次いで、受信処理部１は、検出したタイミング情報とタイマ制御部３から得られるタイミング情報とのずれ量を求める（ステップＳ２）。そして、受信処理部１は、ステップＳ２で求めたずれ量に基づいて受信信号に対するタイミングを決定する（ステップＳ３）。また、受信処理部１は、求めたずれ量を送信処理部２へ転送する（ステップＳ４）。送信処理部２は、受信処理部１から転送されてきたずれ量に基づいて送信信号に対するタイミングを決定する（ステップＳ５）。そして、無線通信装置は、一連の処理を終了する。なお、ステップＳ３の前にステップＳ４を行ってもよいし、ステップＳ３の前にステップＳ４及びステップＳ５を行ってもよい。
【００１６】
実施例１によれば、受信処理部１及び送信処理部２が、受信信号に含まれるタイミング情報とタイマ制御部３から得られるタイミング情報とのずれ量に基づいてそれぞれのタイミングを決定するので、受信処理部１と送信処理部２とでタイミングの同期を取ることができる。従って、受信処理部１に含まれる、受信信号の復調処理を行うブロックと、送信処理部２に含まれる、送信信号の変調処理を行うブロックとでタイミングの同期を取ることができる。
【００１７】
（実施例２）
実施例２は、携帯電話などの移動体無線通信システムに適用したものである。携帯電話システムの一例として、例えば第２世代や第３世代の携帯電話システム、ＨＳＰＡ＋システム、３．９世代と呼ばれるＬＴＥ（Ｌｏｎｇ  Ｔｅｒｍ  Ｅｖｏｌｕｔｉｏｎ、エルテーイー、ロングタームエボリューション）システムまたは第４世代以降の携帯電話システムが挙げられる。
【００１８】
・無線通信装置の説明
図３は、実施例２にかかる無線通信装置を示すブロック図である。図３に示すように、実施例２にかかる無線通信装置は、受信処理部として例えばＡＧＣ（Ａｕｔｏｍａｔｉｃ  Ｇａｉｎ  Ｃｏｎｔｒｏｌ、自動利得制御）／復調制御部１１及び復号制御部１６、送信処理部として例えば変調／電力制御部１２、タイマ制御部として例えばグローバルタイマ制御部１３、並びにメモリ１４を備えている。例えば、ＡＧＣ／復調制御部１１は、ハードウェア及びＤＳＰに配置されるハードウェア制御用のファームウェアにより実現されてもよい。変調／電力制御部１２は、ＡＧＣ／復調制御部１１とは異なるハードウェア及びＤＳＰに配置されるハードウェア制御用のファームウェアにより実現されてもよい。
【００１９】
無線通信装置は、アンテナ１８で受信したＲＦ（Ｒａｄｉｏ  Ｆｒｅｑｕｅｎｃｙ、無線周波数）信号を周波数変換部１５でＩＦ（Ｉｎｔｅｒｍｅｄｉａｔｅ  Ｆｒｅｑｕｅｎｃｙ、中間周波数）信号に変換する。ＡＧＣ／復調制御部１１は、周波数変換部１５から出力されたＩＦ信号をベースバンド信号に復調し、ベースバンド信号（復調信号）の出力レベルを一定に制御する。復号制御部１６は、ＡＧＣ／復調制御部１１から出力された復調信号を復号する。
【００２０】
変調／電力制御部１２は、符号化制御部１７で符号化されたベースバンド信号（符号化データ）をＩＦ信号に変調し、送信電力を制御する。無線通信装置は、変調／電力制御部１２から出力された送信対象のＩＦ信号を周波数変換部１５でＲＦ信号に変換してアンテナ１８から送信する。
【００２１】
グローバルタイマ制御部１３は、例えば後述するフリーランカウンタを備えている。このフリーランカウンタは、ＡＧＣ／復調制御部１１、変調／電力制御部１２及び復号制御部１６から参照可能となっている。メモリ１４は、基準タイミングのパラメータを記憶する。メモリ１４は、ＡＧＣ／復調制御部１１及び変調／電力制御部１２からアクセス可能となっている。基準タイミングのパラメータの一例として、例えば、フリーランカウンタのカウントによって得られるタイミング情報と、図示しない基地局から報知された例えばＣＰＩＣＨ（Ｃｏｍｍｏｎ  Ｐｉｌｏｔ  Ｃｈａｎｎｅｌ、共通パイロットチャネル）から得られるタイミング情報とのずれ量が挙げられる。
【００２２】
このずれ量の一例として、例えばＳＦＴ（Ｓｙｓｔｅｍ  Ｆｒａｍｅ  Ｔｉｍｉｎｇ、システムフレームタイミング）が挙げられる。ＳＦＴは、例えばフリーランカウンタの現在の値とＣＰＩＣＨの先頭フレームの先頭とのタイミング差を表す。ＳＦＴの求め方については後述する。また、ＳＦＴが求まると、ＤＬ  ＤＰＣＨ及びＵＬ  ＤＰＣＨを求めることができる。ＤＬ  ＤＰＣＨ及びＵＬ  ＤＰＣＨの求め方については後述する。
【００２３】
・フリーランカウンタの説明
図４は、実施例２にかかる無線通信装置におけるフリーランカウンタを示す図である。図４に示すように、フリーランカウンタは、例えばＭＦＮ（Ｍｏｄｅｍ  Ｆｒａｍｅ  Ｎｕｍｂｅｒ、モデムフレーム番号）２１、ＦＴＶ（Ｆｒａｍｅ  Ｔｉｍｉｎｇ  Ｖａｌｕｅ、フレームタイミング値）２２及びＳＴＶ（Ｓｌｏｔ  Ｔｉｍｉｎｇ  Ｖａｌｕｅ、スロットタイミング値）２３の三つのパラメータを備えている。
【００２４】
フリーランカウンタは、１サンプル時間ごとにカウントアップし、１０２４０サンプル（スロットタイミング値：０〜１０２３９）で１スロットとなり、１５スロット（フレームタイミング値：０〜１４）で１フレームとなり、４０９６フレーム（モデムフレーム番号：０〜４０９５）で１周期となる。このように、実施例２ではフリーランカウンタのフレームの構成をＣＰＩＣＨのフレーム構成と同じにしているが、異なっていてもよい。
【００２５】
・基準タイミングのパラメータＳＦＴの求め方
図５は、基準タイミングのパラメータについて説明する図である。図５において、ＳＦＮ（Ｓｙｓｔｅｍ  Ｆｒａｍｅ  Ｎｕｍｂｅｒ、システムフレーム番号）２６はＣＰＩＣＨのフレームの番号を表す。ＡＧＣ／復調制御部１１はパスサーチを行う機能を有しており、パスサーチを行うことによってパスサーチを行った時点でのＣＰＩＣＨのフレームとその一つ前のフレームとの境界、すなわちＣＰＩＣＨの現在のフレームの先頭のタイミングを検出することができる。
【００２６】
また、ＡＧＣ／復調制御部１１はパスサーチを行った時点でのフリーランカウンタのフレームとその一つ前のフレームとの境界、すなわちフリーランカウンタの現在のフレームの先頭のタイミングを検出することができる。従って、ＡＧＣ／復調制御部１１は、ＣＰＩＣＨの現在のフレームの先頭とフリーランカウンタの現在のフレームの先頭とのタイミング差ＭＦＴ（Ｍｏｄｅｍ  Ｆｒａｍｅ  Ｔｉｍｉｎｇ、モデムフレームタイミング（パスタイミングとも呼ばれる））を検出する。
【００２７】
図５に示す例では、ＣＰＩＣＨの現在のフレームは番号ｍのフレーム２７であり、フリーランカウンタの現在のフレームは番号ｎのフレーム２８である。従って、ＳＦＮがｍであるフレーム２７の先頭とＭＦＮがｎであるフレーム２８の先頭とのタイミング差がＭＦＴである。ＭＦＴは１フレーム未満のタイミング差となる。
【００２８】
復号制御部１６は、同期用のチャネルを復号することによって、ＣＰＩＣＨの現在のフレームの番号と同じ番号のフリーランカウンタのフレームの先頭と、フリーランカウンタの現在のフレームの先頭とのタイミング差を検出することができる。このタイミング差をフレームオフセットとする。
【００２９】
図５に示す例では、ＣＰＩＣＨの現在のフレームの番号ｍと同じ番号のフリーランカウンタのフレームは番号ｍのフレーム２９である。フリーランカウンタの現在のフレームは番号ｎのフレーム２８である。従って、フレームオフセットは番号ｍのフレーム２９の先頭と番号ｎのフレーム２８の先頭とのタイミング差となる。タイミングｔにおけるフリーランカウンタのフレーム番号をＭＦＮ（ｔ）と表し、タイミングｔにおけるＣＰＩＣＨのフレーム番号をＳＦＮ（ｔ）と表すと、フレームオフセットは次の（１）式で表される。
【００３０】
フレームオフセット［サンプル］
＝（ＭＦＮ（ｔ）−ＳＦＮ（ｔ））［フレーム］×１５［スロット／フレーム］×１０２４０［サンプル／スロット］  ・・・（１）
【００３１】
ＡＧＣ／復調制御部１１は、フレームオフセットがわかると、基準タイミングのパラメータＳＦＴを求めることができる。図５に示すように、基準タイミングのパラメータＳＦＴは、上記（１）式で表されるフレームオフセットにＭＦＴを加算したものである。従って、基準タイミングのパラメータＳＦＴは次の（２）式で表される。
【００３２】
ＳＦＴ［サンプル］
＝（ＭＦＮ（ｔ）−ＳＦＮ（ｔ））［フレーム］×１５［スロット／フレーム］×１０２４０［サンプル／スロット］＋ＭＦＴ［サンプル］  ・・・（２）
【００３３】
・ＤＬ  ＤＰＣＨ及びＵＬ  ＤＰＣＨの求め方
図６は、ＤＬ  ＤＰＣＨ及びＵＬ  ＤＰＣＨについて説明する図である。図６において、ＤＯＦＦ（Ｄｐｃｈ  Ｏｆｆｓｅｔ、デーピーシーエッチオフセット）は、ＣＰＩＣＨの先頭フレームの先頭とＤＬ  ＤＰＣＨの先頭フレームの先頭とのオフセット値である。ＤＯＦＦは、ネットワークなどの上位レイヤから端末などの無線通信装置に通知される。従って、図６に示すように、ＡＧＣ／復調制御部１１及び変調／電力制御部１２は、上述したＳＦＴにＤＯＦＦを加算することによって、ＤＬ  ＤＰＣＨのタイミング３１を求めることができる。ＤＬ  ＤＰＣＨのタイミングは次の（３）式で表される。
【００３４】
ＤＬ  ＤＰＣＨタイミング＝ＳＦＴ＋ＤＯＦＦ［サンプル］  ・・・（３）
【００３５】
また、上述したようにＤＬ  ＤＰＣＨとＵＬ  ＤＰＣＨとのタイミング差が１０２４チップであるから、変調／電力制御部１２は、上述したＤＬ  ＤＰＣＨタイミングに１０２４チップを加算することによって、ＵＬ  ＤＰＣＨのタイミング３２を求めることができる。ＵＬ  ＤＰＣＨのタイミングは次の（４）式で表される。
【００３６】
ＵＬ  ＤＰＣＨタイミング＝ＤＬ  ＤＰＣＨタイミング＋１０２４［チップ］  ・・・（４）
【００３７】
・無線通信方法の説明
例えば、個別チャネルによる通信を開始するときの初期設定時に上述したＤＬ  ＤＰＣＨ及びＵＬ  ＤＰＣＨの調整が行われる。また、個別チャネルによる通信中にネットワークや環境要因によってパスタイミングにずれが生じたときに、そのずれの補正時に上述したＤＬ  ＤＰＣＨ及びＵＬ  ＤＰＣＨの調整が行われる。
【００３８】
・個別チャネル通信開始時の初期設定処理
図７は、実施例２にかかる無線通信方法の初期設定処理を示すフローチャートである。図７に示すように、個別チャネル通信開始時の初期設定処理が開始されると、まず、ＡＧＣ／復調制御部１１はセルサーチやパスサーチを行って、通信対象セル、すなわち基準セルから送信される信号のＭＦＴを検出する（ステップＳ１１）。次いで、ＡＧＣ／復調制御部１１は、報知情報を伝送するＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ、プライマリー共通制御物理チャネル）を復調し、その復調結果を復号制御部１６へ転送する（ステップＳ１２）。
【００３９】
次いで、ＡＧＣ／復調制御部１１はＭＦＴを復号制御部１６へ転送する（ステップＳ１３）。次いで、復号制御部１６は、上記（１）式で表されるフレームオフセットを検出し、フレームオフセットの値をＡＧＣ／復調制御部１１に通知する（ステップＳ１４）。次いで、ＡＧＣ／復調制御部１１は、上記（２）式で表される基準タイミングのパラメータＳＦＴを算出する（ステップＳ１５）。
【００４０】
次いで、ＡＧＣ／復調制御部１１は基準タイミングのパラメータＳＦＴを変調／電力制御部１２へ転送する（ステップＳ１６）。具体的には、ＡＧＣ／復調制御部１１が基準タイミングのパラメータＳＦＴをメモリ１４に格納し、変調／電力制御部１２がメモリ１４から基準タイミングのパラメータＳＦＴを読み出すことによって、基準タイミングのパラメータＳＦＴがＡＧＣ／復調制御部１１から変調／電力制御部１２へ転送されてもよい。
【００４１】
次いで、ＡＧＣ／復調制御部１１及び変調／電力制御部１２は、上記（３）式で表されるＤＬ  ＤＰＣＨのタイミングを算出する（ステップＳ１７）。次いで、変調／電力制御部１２は、上記（４）式で表されるＵＬ  ＤＰＣＨのタイミングを算出する（ステップＳ１８）。そして、一連の処理が終了する。
【００４２】
・個別チャネル通信中の補正処理
図８及び図９は、実施例２にかかる無線通信方法の補正処理を示すフローチャートである。図８に示すように、個別チャネルの通信中、ＡＧＣ／復調制御部１１は定期的にパスサーチを行って、基準セルから送信される信号のＭＦＴを検出する（ステップＳ２１）。次いで、ＡＧＣ／復調制御部１１は変調／電力制御部１２へＭＦＴを転送する（ステップＳ２２）。ＭＦＴについても、上述したＳＦＴの転送と同様にメモリ１４を介して転送してもよい。
【００４３】
変調／電力制御部１２は、ＭＦＴの通知が初回の通知であるか否かを判断する（ステップＳ２３）。初回の通知である場合（ステップＳ２３：Ｙｅｓ）、変調／電力制御部１２は、復号制御部１６でフレームオフセットを検出する際に適用するＭＦＴの値を、ステップＳ２２でＡＧＣ／復調制御部１１から転送されてきたＭＦＴの値に更新する（ステップＳ２４）。また、変調／電力制御部１２は、最新のＭＦＴの値として保持している値を、ステップＳ２２でＡＧＣ／復調制御部１１から転送されてきたＭＦＴの値に更新する（ステップＳ２５）。一方、ＭＦＴの通知が初回の通知でない場合（ステップＳ２３：Ｎｏ）、変調／電力制御部１２は、フレームオフセットの検出に適用するＭＦＴの値を更新しないで、最新のＭＦＴの値を更新する（ステップＳ２５）。
【００４４】
次いで、図９に示すように、変調／電力制御部１２は、ＳＦＴ、ＤＬ  ＤＰＣＨ及びＵＬ  ＤＰＣＨの更新を行うか否かの判定を実施するか否かを判定する（ステップＳ２６）。ステップＳ２６は、例えば移動体無線通信システムが無線通信装置の送信信号のタイミングを所定時間に１回変えてもよいシステムである場合に実施される。このような移動体無線通信システムの一例として、例えば３ＧＰＰ仕様の携帯電話システムが挙げられる。３ＧＰＰ仕様の携帯電話システムでは、例えば移動局の送信信号のタイミングを２００ｍｓに１度、１サンプルまで変更してもよい。変調／電力制御部１２にＭＦＴが通知されるたびにＳＦＴ、ＤＬ  ＤＰＣＨ及びＵＬ  ＤＰＣＨの更新を行う場合には、ステップＳ２６を省略してもよい。
【００４５】
更新の判定を実施する場合（ステップＳ２６：Ｙｅｓ）、変調／電力制御部１２は、フレームオフセットの検出に適用されている現在のＭＦＴの値が、ステップＳ２５で更新された最新のＭＦＴの値に等しくないか否かを判断する（ステップＳ２７）。フレームオフセットの検出に適用されている現在のＭＦＴの値と、最新のＭＦＴの値との差分が一定の範囲内にある場合を両者が等しいとし、その差分が一定の範囲を超える場合に両者は等しくないとしてもよい。
【００４６】
フレームオフセットの検出に適用されている現在のＭＦＴの値と、最新のＭＦＴの値とが等しくない場合（ステップＳ２７：Ｙｅｓ）、変調／電力制御部１２は、フレームオフセットの検出に適用されている現在のＭＦＴの値を最新のＭＦＴの値に更新して保持する。そして、変調／電力制御部１２は現在の基準タイミングのパラメータＳＦＴの値を、更新後のＭＦＴに応じた値に更新する（ステップＳ２８）。３ＧＰＰ仕様の携帯電話システムの場合には、上述したように移動局の送信信号のタイミングを１サンプルまで変更できるので、変調／電力制御部１２は、ＭＦＴ及びＳＦＴを１サンプル分補正した値に更新する。
【００４７】
次いで、変調／電力制御部１２は更新後の基準タイミングのパラメータＳＦＴをＡＧＣ／復調制御部１１へ転送する（ステップＳ２９）。具体的には、上述したＡＧＣ／復調制御部１１から変調／電力制御部１２へのＳＦＴの転送と同様にメモリ１４を介して転送してもよい。
【００４８】
次いで、ＡＧＣ／復調制御部１１及び変調／電力制御部１２は、上記（３）式で表されるＤＬ  ＤＰＣＨのタイミングを算出する（ステップＳ３０）。次いで、変調／電力制御部１２は、上記（４）式で表されるＵＬ  ＤＰＣＨのタイミングを算出する（ステップＳ３１）。そして、一連の処理が終了する。また、更新の判定を実施しない場合（ステップＳ２６：Ｎｏ）、一連の処理が終了する。フレームオフセットの検出に適用されている現在のＭＦＴの値と、最新のＭＦＴの値とが等しい場合（ステップＳ２７：Ｎｏ）、一連の処理が終了する。このようにして、ＤＬ  ＤＰＣＨ及びＵＬ  ＤＰＣＨのずれが補正される。
【００４９】
実施例２によれば、ＡＧＣ／復調制御部１１及び変調／電力制御部１２が、フリーランカウンタの値とＣＰＩＣＨとのタイミング差に基づいてＤＬ  ＤＰＣＨ及びＵＬ  ＤＰＣＨを決定または補正するので、ＡＧＣ／復調制御部１１と変調／電力制御部１２とでタイミングの同期を取ることができる。
【００５０】
（実施例３）
実施例３は、実施例２においてある期間中、例えば着呼の待ち受け状態の期間中に電源制御を行うようにしたものである。実施例２と同様の構成については実施例２と同一の符号を付して、重複する説明を省略する。
【００５１】
図１０は、実施例３にかかる無線通信装置を示すブロック図である。図１０に示すように、実施例３にかかる無線通信装置は、実施例にかかる無線通信装置において電源制御を行うコントローラ１９を備えている。コントローラ１９は、変調／電力制御部１２及び符号化制御部１７を含む送信側のブロック４１の電源と、ＡＧＣ／復調制御部１１及び復号制御部１６を含む受信側のブロック４２の電源と、を別々に制御する。受信側のブロック４２には、例えばグローバルタイマ制御部１３、メモリ１４及び周波数変換部１５が含まれていてもよい。
【００５２】
ＡＧＣ／復調制御部１１は、報知情報を受信できるときに自装置がいずれかの基地局のセル内に在圏しており、通信状態にあることを認識する。ＡＧＣ／復調制御部１１は、報知情報を受信できないときに自装置がいずれの基地局のセル内にも在圏していないこと、すなわち圏外にいることを認識する。ＡＧＣ／復調制御部１１は、自装置が通信状態にあるか、圏外にいるか、という情報をメモリ１４に格納する。
【００５３】
コントローラ１９は、自装置が通信状態にある、または圏外にいる、という情報をメモリ１４から読み出して、電源制御を行う。例えば無線通信装置が圏外にいるとき、無線通信装置は送信することができないので、コントローラ１９は送信側のブロック４１の電源をオフ状態にする。また、無線通信装置が待ち受け状態にあるとき、コントローラ１９は、上位レイヤからのメッセージによって自装置が待ち受け状態にあることを認識する。例えば無線通信装置が待ち受け状態にあるとき、無線通信装置は送信処理を行う必要がないので、コントローラ１９は送信側のブロック４１の電源をオフ状態にする。
【００５４】
無線通信装置が圏外にいる場合でも、無線通信装置が移動していずれかの基地局のセル内に入ったときに報知情報を受信する必要があるので、受信側のブロック４２の電源はオン状態であってもよい。また、無線通信装置が待ち受け状態にある場合には、着呼の際の基地局からの呼び出しに応ずる必要があるので、受信側のブロック４２の電源はオン状態であってもよい。送信側のブロック４１の電源がオフ状態のときには、ＡＧＣ／復調制御部１１と変調／電力制御部１２とのタイミングを同期させる必要がないので、グローバルタイマ制御部１３をオフ状態にしてもよい。あるいは、送信側のブロック４１の電源がオフ状態のときでもグローバルタイマ制御部１３を起動させておいてもよい。その場合には、ＡＧＣ／復調制御部１１が無線信号のタイミングを認識することができる。
【００５５】
実施例３によれば、無線通信装置が圏外にいるときや待ち受け状態にあるときに、送信側のブロック４１の電源をオフ状態にするので、消費電力を削減することができる。特に、無線通信装置の稼働中、無線通信装置が待ち受け状態にある時間は、通常、稼働時間の大半を占めるので、消費電力を削減することができる。
【００５６】
上述した実施の形態に関し、さらに以下の付記を開示する。
【００５７】
（付記１）受信信号を処理する受信処理部と、
送信信号を処理する送信処理部と、
前記受信処理部及び前記送信処理部から参照可能なタイマの値を更新するタイマ制御部と、
前記受信処理部から出力されるタイミングのずれ量を記憶するメモリと、
を備え、
前記受信処理部は、受信信号に含まれるタイミング情報と前記タイマ制御部から得られるタイミング情報とのずれ量を求め、該ずれ量に基づいて受信信号に対するタイミングを決定するとともに、該ずれ量を前記メモリに格納し、
前記送信処理部は前記メモリから前記ずれ量を読み出し、該ずれ量に基づいて送信信号に対するタイミングを決定することを特徴とする無線通信装置。
【００５８】
（付記２）前記受信処理部の復調処理を行うハードウェアブロックと前記送信処理部の変調処理を行うハードウェアブロックとが異なることを特徴とする付記１に記載の無線通信装置。
【００５９】
（付記３）前記受信処理部は、前記タイマの値から求まる単位時間の境界から該境界よりも後で該境界に最も近い前記受信信号の単位時間の境界までの経過時間、及び前記タイマの値から求まる単位時間に順番に付された番号と前記受信信号の単位時間に順番に付された番号との差に基づいて、前記ずれ量を求めることを特徴とする付記２に記載の無線通信装置。
【００６０】
（付記４）前記受信処理部は、前記タイマの値から求まる単位時間の境界から該境界よりも後で該境界に最も近い前記受信信号の単位時間の境界までの経過時間を前記メモリに格納するとともに、前記送信処理部により更新された後のずれ量を前記メモリから読み出し、該更新後のずれ量に基づいて受信信号に対するタイミングを更新し、
前記送信処理部は前記メモリから前記経過時間を読み出し、該経過時間に基づいて前記ずれ量を更新し、該更新後のずれ量に基づいて送信信号に対するタイミングを更新するとともに、該更新後のずれ量を前記メモリに格納することを特徴とする付記２に記載の無線通信装置。
【００６１】
（付記５）前記受信処理部及び前記送信処理部への電源の供給及び電源の供給の停止を制御するコントローラを備え、
前記コントローラは、着呼の待機状態のとき、または通信圏外にいるときに、前記送信処理部への電源の供給を停止することを特徴とする付記２に記載の無線通信装置。
【００６２】
（付記６）受信信号を処理する受信処理部により、受信信号に含まれるタイミング情報を検出し、該タイミング情報と、前記受信処理部及び送信信号を処理する送信処理部から参照可能なタイマの値を更新するタイマ制御部から得られるタイミング情報とのずれ量を求め、該ずれ量に基づいて受信信号に対するタイミングを決定するとともに、該ずれ量を前記送信処理部へ転送し、
前記送信処理部により、前記受信処理部から転送されてきた前記ずれ量に基づいて送信信号に対するタイミングを決定することを特徴とする無線通信方法。
【００６３】
（付記７）前記受信処理部により、前記タイマの値から求まる単位時間の境界から該境界よりも後で該境界に最も近い前記受信信号の単位時間の境界までの経過時間を前記送信処理部へ転送し、
前記送信処理部により、前記受信処理部から転送されてきた前記経過時間に基づいて前記ずれ量を更新し、該更新後のずれ量に基づいて送信信号に対するタイミングを更新するとともに、該更新後のずれ量を前記受信処理部へ転送し、
前記受信処理部により、前記送信処理部から転送されてきた前記更新後のずれ量に基づいて受信信号に対するタイミングを更新することを特徴とする付記６に記載の無線通信方法。
【符号の説明】
【００６４】
１  受信処理部
２  送信処理部
３  タイマ制御部
４  メモリ
１９  コントローラ
【国際調査報告】
2012056542.tif 000013
2012056542.tif 000014